(57)【要約】【課題】  ガス抜き弁の構成が簡単で、かつ、ガス抜き弁が誤って開かれ難いとともに、ガス抜きの完了に伴って時計外装組立内に浸水し難い携帯時計を提供する。【解決手段】  腕時計1は、時計外装組立2に取付けられたガス抜き弁4を備える。ガス抜き弁4は、パイプ23、弁体31、止め部材41、及び弾性変形が可能なシール材製のパッキン45を具備する。時計外装組立2にこの内外を連通するパイプ23を設ける。パイプ23は、弁座面25とストッパ部26と雄ねじ部24を有する。弁体31は、パイプ23に挿入され弁体軸部32、この軸部と一体の弁体ヘッド35を備える。弁体ヘッド35に、雄ねじ部24に螺合される雌ねじ部37と複数の通孔38を設け、両ねじ部24,37の噛み合いの変化で弁体31を軸方向に移動可能とする。時計外装組立2の内部側からストッパ部26に接離される止め部材41を弁体軸部32に取付ける。弁体31の移動に伴い弁座面25に接離される防水用のパッキン45を弁体軸部32に取付けたことを特徴としている。【選択図】図２
2011203211.tif 000002
【特許請求の範囲】
【請求項１】
時計外装組立にこの内部のガス圧を外部に逃がすガス抜き弁が取付けられた携帯時計において、
前記ガス抜き弁が、
前記時計外装組立にこの組立の内部と外部を連通して設けられ、かつ、ストッパ部及び雄ねじ部を有するパイプと、
このパイプに挿入される弁体軸部、及びこの軸部に一体に設けられて複数の通孔と前記雄ねじ部に螺合される雌ねじ部が形成された弁体ヘッドを備え、前記雄ねじ部と前記雌ねじ部の噛み合いの変化で移動可能である弁体と、
前記弁体軸部に取付けられ、前記弁体の移動に伴い前記時計外装組立の内部側から前記ストッパ部に接離される止め部材と、
弾性変形が可能なシール材からなるとともに、前記弁体軸部又は前記パイプに取付けられて、前記弁体の移動に伴い前記パイプ又は前記弁体軸部に設けられた弁座面に接離するパッキンと、
を具備することを特徴とする携帯時計。
【請求項２】
前記弁体がねじ込まれた状態で前記パッキンが前記弁座面に密接されるとともに、前記弁体のねじ込みが弛められた状態で前記パッキンが前記弁座面から離れるように構成されていることを特徴とする請求項１に記載の携帯時計。
【請求項３】
前記弁座面が前記パイプの内周に設けられたテーパ面からなるとともに、この弁座面がなす径が前記時計外装組立の内部に向けて次第に縮まるように前記弁座面が形成されており、前記パッキンが前記弁体軸部に取付けられていて、前記弁体が最大にねじ込まれた状態で前記弁座面に密接された前記パッキンと、前記弁体ヘッドと、これらパッキン及び弁体ヘッド間に位置される前記弁座面を含む前記パイプの内周面と、この内周面に対向する弁体軸部の周面との間に形成される環状空間に、前記通孔が連通されていることを特徴とする請求項１又は２に記載の携帯時計。
【請求項４】
前記弁体が最大にねじ込まれた状態で、前記時計外装組立の外部側に位置された前記パイプの開口に掛かるように前記通孔が設けられていることを特徴とする請求項３に記載の携帯時計。
【請求項５】
前記時計外装組立が位置決め部を有し、この位置決め部に係合されて前記時計外装組立の内部に向けての前記弁体のねじ込みを妨げて前記弁座面に前記パッキンが密接された状態を保持する係合部を、前記弁体ヘッドが有していることを特徴とする請求項３又は４に記載の携帯時計。
【請求項６】
前記ストッパ部が環状をなして前記パイプの内側に突出されていることを特徴としている請求項１から５のうちのいずれか一項に記載の携帯時計。
【発明の詳細な説明】
【技術分野】
【０００１】
本発明は、例えば飽和潜水に好適なダイバーズウォッチ等のように時計外装組立の内圧が高まる可能性がある携帯時計に関する。
【背景技術】
【０００２】
時計外装ケースの内圧が外圧より高くなった場合に対処するために、このケースに設けたガス抜き弁のボタンを人為的に押すことにより、時計外装ケースの内部の気体をこのケースの外側に強制排出できる飽和潜水用のダイバーズウォッチが知られている（例えば、特許文献１参照。）。
【０００３】
このダイバーズウォッチが備えるガス抜き弁は、時計外装ケースの胴に形成された段付き孔と、ボタンと、止め輪と、コイルばねと、パッキンを有している。
【０００４】
段付き孔の小径孔部は胴の内側に開放され、段付き孔の大径孔部は胴の外側に開放されている。ボタンは、大径孔部に嵌合する操作部と、小径孔部を貫通する軸部を有している。段付き孔からのボタンの抜け止めをする止め輪は時計外装ケースの内部で軸部に連結されている。コイルばねは、軸部を巻装して大径孔部に収容されていて、ボタンを胴の外側方向に付勢している。パッキンは軸部に固定されている。このパッキンは、ボタンが押し込まれない通常の状態で、小径孔部又はこの孔部に装着されたパイプの内面に接して締代を有し、ボタンが押し込まれた状態で胴の内部に配置されて締代を有しないように構成されている。
【０００５】
このため、ボタンが押し込み操作されると同時にパッキンが段付き孔の小径孔部から胴の内部に外れるように移動されて、段付き孔を介して胴の内外が連通される。それに伴い、時計外装ケースの内部の気体をこのケースの外部に段付き孔を通じて排出できる。
【先行技術文献】
【特許文献】
【０００６】
【特許文献１】特開平５−１７２９５６号公報
【発明の概要】
【発明が解決しようとする課題】
【０００７】
特許文献１のダイバーズウォッチで、コイルばねの力で胴外側に付勢されている排気用のボタンは、胴より突出されていて押し込み可能な状態に保持されている。そのため、潜水中に、例えば岩等によってボタンが誤って押し込まれた場合、時計外装ケースの内外が連通されて、即座に時計外装ケース内に浸水する可能性がある。
【０００８】
更に、特許文献１のダイバーズウォッチのガス抜き弁を飽和潜水後に操作する状況では、段付き孔の大径孔部に水が溜まっている可能性があるとともに、潜水者の濡れた手に付着した水分が大径孔部に浸入することがある。又、雨天下でのガス抜き弁の押し込み操作では雨水が大径孔部に浸入することがある。こうした状況下で排気操作を行った場合、排気完了直後であってパッキンが締代を有していない状態において、大径孔部内の水が時計外装ケース内に浸入する恐れが考えられる。
【０００９】
又、特許文献１のダイバーズウォッチのガス抜き弁は、飽和潜水の指定圧力に相当するばね力（付勢力）を有するコイルばねでボタンを付勢する構成である。このようにコイルばねが必要であるので、構成が複雑である。そのため、組立てに手間が掛かるとともに、コスト高である。
【００１０】
以上のように従来技術は、ガス抜き弁の構成が複雑で、かつ、ガス抜き弁が誤って開かれて胴内に浸水する恐れとともに、ガス抜きの完了に伴って胴内に浸水する恐れがある、という課題がある。
【課題を解決するための手段】
【００１１】
前記課題を解決するために、本発明は、時計外装組立にこの内部のガス圧を外部に逃がすガス抜き弁が取付けられた携帯時計において、前記ガス抜き弁が、前記時計外装組立にこの組立の内部と外部を連通して設けられ、かつ、ストッパ部及び雄ねじ部を有するパイプと、このパイプに挿入される弁体軸部、及びこの軸部に一体に設けられて複数の通孔と前記雄ねじ部に螺合される雌ねじ部が形成された弁体ヘッドを備え、前記雄ねじ部と前記雌ねじ部の噛み合いの変化で移動可能である弁体と、前記弁体軸部に取付けられ、前記弁体の移動に伴い前記時計外装組立の内部側から前記ストッパ部に接離される止め部材と、弾性変形が可能なシール材からなるとともに、前記弁体軸部又は前記パイプに取付けられて、前記弁体の移動に伴い前記パイプ又は前記弁体軸部に設けられた弁座面に接離するパッキンと、を具備することを特徴としている。
【００１２】
本発明で、ガス抜き弁は、時計外装組立が有する胴部に設けることが好ましいが、胴部以外の場所に設けることも可能であり、更に、パイプは、時計外装組立と別体のパイプ部材を取付けることに代えて、時計外装組立の胴部等にパイプ部材に相当する構成を一体に形成して設けることも可能である。本発明で、パイプのストッパ部は、時計外装組立の内部に臨んだパイプの端面、又は小径となるように加工されて時計外装組立の内部に臨んだパイプの端部等であっても差し支えない。
【００１３】
本発明で、弁体ヘッドが有する複数の通孔は、弁体ヘッドの周方向に等配して設けることが、ガス抜き弁の体裁を向上する上で好ましいが、これには制約されない。更に、本発明で、弁体の回転操作は、弁体ヘッドの外周に設けたローレット加工跡からなる凹凸を手掛かりにして行える他、前記複数の通孔に挿脱できる専用の工具を用意して、この工具の先端部を通孔に差し込んだ状態で、工具を手掛りにして行うことも可能である。
【００１４】
本発明で、止め部材には、例えば、時計外装組立の内部側に位置された弁体軸部の軸端面より大径で、かつ、弁体軸部にその軸端面と直交してねじ込まれるねじで止めされた止め板、又は、Ｅリングのような止め輪等を用いることができ、或いは、弁体軸部の軸端面より大径な頭部を有して、弁体軸部にその軸端面と直交してねじ込まれるねじを止め部材として用いることも可能である。
【００１５】
本発明は、パッキンが弁体軸部に取付けられる場合、弁座面をパイプの内面に形成して実施することができ、この逆に、パッキンがパイプの内面に取付けられる場合、弁座面を弁体軸部に形成して実施することができる。
【００１６】
本発明の携帯時計の通常の状態で、ガス抜き弁は閉じている。つまり、パイプの雄ねじ部と弁体の雌ねじ部が噛み合った螺合状態を維持して、弁体が最大にねじ込まれているので、弁座面にパッキンが密接されているとともに、止め部材がストッパ部から離された状態にある。この状態で例えば飽和潜水を行った場合、弁体の通孔を通って時計外装組立の外部から高圧が作用するが、前記密接によりガス抜き弁のシール性能は維持される。この一方で、飽和潜水で使用されるヘリウムガス等のシール材透過性ガスは、パッキン等を透過するので、時計外装組立の内圧は高められる。
【００１７】
潜水後等に、時計外装組立の内圧を抜くには、ガス抜き弁を開ければ良い。つまり、ガス抜き弁が開かれるように弁体を回転操作して、雄ねじ部と雌ねじ部の螺合状態が維持されたままで、止め部材がストッパ部に係合するまで弁体を移動させれば良い。それにより、パッキンが弁座面から離れるので、時計外装組立内のガスがパイプ内を流通し、更に弁体の通孔を通って外部に排出される。
【００１８】
このようなガス抜きの際、このガスの流れを基準にパッキンより下流側に通孔を通して水が入り込んで溜まっていたとしても、この水は、以上のように排出されるガスの流れとともに通孔から外に排出されるので、ガス抜き直後に、前記溜まった水が時計外装組立の内部に浸入することが抑制される。更に、以上のガス抜きの際、弁体の弁体ヘッド周りに水が溜まっていたとしても、螺合状態が維持されている雄ねじ部と雌ねじ部によりパイプと弁体ヘッドとが連続されているので、ガス抜きの完了に伴って弁体ヘッドまわりの水がガス抜き弁の内側に浸入することが防止される。
【００１９】
又、本発明の携帯時計は、そのガス抜き弁の弁体に、例えば潜水中等において何らかの物が当たっても、この弁体が連続して回転されない限り弁体は軸方向に移動することがない。そのため、弁体が不用意に押し込まれる力を受けても、ガス抜き弁が開かれて時計外装組立の内部に浸水する恐れがない。
【００２０】
更に、本発明の携帯時計のガス抜き弁は、パイプの雄ねじ部と弁体の雌ねじ部を螺合させて、パッキンが弁座面に密接された状態を保持するので、この保持のためにコイルばねを要することがなく、構成が簡単である。
【００２１】
本発明の携帯時計の好ましい形態では、前記弁体がねじ込まれた状態で前記パッキンが前記弁座面に密接されるとともに、前記弁体のねじ込みが弛められた状態で前記パッキンが前記弁座面から離れるように構成されていることを特徴としている。
【００２２】
この発明の形態では、弁体をねじ込み操作することで、ガス抜き弁を閉じることができるとともに、弁体のねじ込みを弛めることで、ガス抜き弁が開かれてガス抜きができるので、操作上の違和感がない点で好ましい、という利点を更に有する。
【００２３】
本発明の携帯時計の好ましい形態では、前記弁座面が前記パイプの内周に設けられたテーパ面からなるとともに、この弁座面がなす径が前記時計外装組立の内部に向けて次第に縮まるように前記弁座面が形成されており、前記パッキンが前記弁体軸部に取付けられていて、前記弁体が最大にねじ込まれた状態で前記弁座面に密接された前記パッキンと、前記弁体ヘッドと、これらパッキン及び弁体ヘッド間に位置される前記弁座面を含む前記パイプの内周面と、この内周面に対向する弁体軸部の周面との間に形成される環状空間に、前記通孔が連通されていることを特徴としている。
【００２４】
この発明の形態では、ガス抜き弁が閉じられた状態で、通孔を通してパッキンに作用する時計外装組立の外部の水圧やガス圧等の外圧を利用して、シール性能を高めることができる。つまり、外圧によりパッキンが、テーパ面からなる弁座面がなす径の小径部側に押し込まれるように弾性変形しつつ縮径されるので、このパッキンが弁体軸部に対してより強く密接されるとともに、同パッキンが弁座面に対してより強く密接される。それにより、外圧が加わるほどシール性能を向上できる、という利点を更に有する。
【００２５】
本発明の携帯時計の好ましい形態では、前記弁体が最大にねじ込まれた状態で、前記時計外装組立の外部側に位置された前記パイプの開口に掛かるように前記通孔が設けられていることを特徴としている。
【００２６】
この発明の形態では、時計外装組立の外部側に位置されたパイプの開口に、弁体の通孔が連続するような位置関係になっているので、通孔を通してガス抜き弁内に浸入した水を、ガス抜き弁が開かれることに伴う排出ガスの流れで、通孔から外部に容易に排出することができる、という利点を更に有する。
【００２７】
本発明の携帯時計の好ましい形態では、前記時計外装組立が位置決め部を有し、この位置決め部に係合されて前記時計外装組立の内部に向けての前記弁体のねじ込みを妨げて前記弁座面に前記パッキンが密接された状態を保持する係合部を、前記弁体ヘッドが有していることを特徴としている。
【００２８】
この発明の形態では、ガス抜き弁を閉じるように弁体がねじ込まれた際、弁体ヘッドの係合部が時計外装組立の位置決め部に係合することで、弁体が最大にねじ込まれた位置に弁体が停止される。そのため、弁体の適正なねじ込み終了を知覚させることができるとともに、パッキンがテーパ面からなる弁座面から外れることを防止できる、という利点を更に有する。
【００２９】
本発明の携帯時計の好ましい形態では、前記ストッパ部が環状をなして前記パイプの内側に突出されていることを特徴としている。
【００３０】
この発明の形態では、ストッパ部が堤防として機能するので、万が一、ガス抜き弁内の残水がガス抜き完了直後に時計外装組立の内部に入り込もうとしても、それをストッパ部で抑制できる。
【発明の効果】
【００３１】
本発明によれば、ガス抜き弁の構成が簡単で、かつ、ガス抜き弁が誤って開かれて時計外装組立内に浸水し難いとともに、ガス抜きの完了に伴って時計外装組立内に浸水し難い携帯時計を提供できる、という効果がある。
【図面の簡単な説明】
【００３２】
【図１】本発明の第１実施形態に係る腕時計を示す平面図である。
【図２】第１実施形態の腕時計をそのガス抜き弁が閉じられた状態において図１中Ｆ−Ｆ線に沿って示す断面図である。
【図３】第１実施形態の腕時計をそのガス抜き弁が開かれた状態において図１中Ｆ−Ｆ線に沿って示す断面図である。
【図４】第１実施形態の腕時計のガス抜き弁が備える弁体を示す正面図である。
【図５】本発明の第２実施形態の腕時計をそのガス抜き弁が閉じられた状態において示す図２相当の湯断面図である。
【図６】第２実施形態の腕時計をそのガス抜き弁が開かれた状態において示す図３相当の断面図である。
【発明を実施するための形態】
【００３３】
以下、図１〜図４を参照して本発明の第１実施の形態について、詳細に説明する。
図１〜図３中符号１は携帯時計、例えば飽和潜水での使用にも適するダイバーズウォッチ等の腕時計を示している。この腕時計１は、時計外装組立２に、この時計外装組立２の内圧を減じるためのガス抜き弁４を取付けて形成されている。これとともに、時計外装組立２には、図２及び図３に示すように文字板などの時計用表示板５、及び図１に示す時計用表示針８を駆動するムーブメント６等が内蔵されているとともに、図１に示すように時計外装組立２の周部に竜頭７が取付けられている。
【００３４】
図２及び図３に示すように時計外装組立２は、胴部１１ａと裏蓋部１１ｂとが一体に形成された金属製の外装部材１１と、ガラス支持部材１３と、カバーガラス１５を備えている。なお、外装部材１１に代えて、胴部１１ａに相当する胴に、これとは別体で裏蓋部１１ｂに相当する裏蓋を螺合した構成を備えた時計外装組立２を用いることもできる。
【００３５】
ガラス支持部材１３は、リング形状をなしていて、胴部１１ａにその正面側から螺合して固定されている。カバーガラス１５は、ガラス支持部材１３の内側に液密に装着されていて、その裏面は時計用表示板５に対向している。符号１６はカバーガラス１５を取付けるためにガラス支持部材１３に螺合されたガラス固定用のリングを示している。
【００３６】
ガラス支持部材１３の外周に沿って回転操作可能なリング形の回転ベゼル１８が時計外装組立２に取付けられている。回転ベゼル１８は、その裏面に周方向に沿って一定間隔毎に設けられた係合溝１８ａ（一個のみ図示）に係止ばね１９の図示しない係止片が係合されることにより、任意の回転位置に静止した状態に保持されるようになっている。
【００３７】
図２及び図３に示すように時計外装組立２の例えば胴部１１ａにパイプ取付け孔２１が、時計外装組立２の内部と外部を連通して設けられている。パイプ取付け孔２１は、多段の円形孔からなり、その大径な一端は時計外装組立２の外面例えば胴部１１ａの外面に開放され、小径な他端は時計外装組立２の内部に開放されている。パイプ取付け孔２１の段付きの大径孔部がその奥部に有した環状段部により、時計外装組立２が有する位置決め部２１ａが形成されている。
【００３８】
ガス抜き弁４は、パイプ２３と、弁体３１と、止め部材４１と、パッキン４５を具備している。
パイプ２３は時計外装組立２の例えば胴部１１ａに設けられている。具体的には、パイプ２３は金属の管からなり、パイプ取付け孔２１に挿入されて胴部１１ａにろう材２２により固定されている。
【００３９】
パイプ２３は大径部と小径部とで形成されている。パイプ２３の大径部は、時計外装組立２の外部に連通されたパイプ取付け孔２１の段付きの大径孔部内に配置されている。この大径部の外周に雄ねじ部２４が形成されている。
【００４０】
パイプ２３の大径部の内周面は弁座面２５をなしている。弁座面２５は、それがなす径が時計外装組立２の内部に向けて次第に縮まるように設けられたテーパ面からなる。弁座面２５の大径側の一端はパイプ２３の大径部の先端に達している。弁座面２５の小径側の他端は、パイプ２３の小径部内面に連続している。なお、弁座面２５は、パイプ２３の大径部の先端に達することなく形成することもでき、この場合、パイプ２３の大径部の先端部側の内周面は、パイプ２３の小径部内面と平行であり、これらの間に弁座面２５を設ければよい。
【００４１】
パイプ２３はその小径部の例えば先端部にストッパ部２６を有している。ストッパ部２６は例えば前記小径部より更に小径となるように加工されたパイプ端壁からなる。そのため、ストッパ部２６は環状をなしてパイプ２３の内側に突出されている。このストッパ部２６は時計外装組立２の内部に臨んでいる。
【００４２】
弁体３１は、金属製であり、弁体軸部３２と弁体ヘッド３５を備えている。
弁体軸部３２は、外周が円形の大径軸部位及び小径軸部位からなり、パイプ２３を軸方向に貫通する長さを有している。
【００４３】
弁体軸部３２の大径軸部位の直径は、パイプ２３の小径部の内径よりやや小さい。大径軸部位にはその外周に開放するパッキン装着溝３３が設けられている。このパッキン装着溝３３は、大径軸部位の周方向に一回り連続して環状に形成されている。
【００４４】
弁体軸部３２の小径軸部位の直径は、ストッパ部２６で囲まれた開口の径より小さい。この小径軸部位の大径軸部位と反対側の端部、つまり、時計外装組立２の内部側の端部に、部材装着溝３４が形成されている。
【００４５】
弁体ヘッド３５は弁体軸部３２の大径軸部位に一体に設けられている。この弁体ヘッド３５は、弁体軸部３２の外周から直角に張り出した端壁部３５ａと、この端壁部３５ａから折れ曲がるように設けられた操作筒部３５ｂとで形成されている。
【００４６】
操作筒部３５ｂは、弁体軸部３２と平行であるとともに、弁体軸部３２の大径軸部位との間に環状溝を形成している。この環状溝にパイプ２３の胴外側部位が挿入されている操作筒部３５ｂはその外周面にローレット加工跡からなる滑り止め３６を有している。滑り止め３６は、図４に示すように周方向に三角形の凸部と凹みが連続した構成である。これらの凸部と凹みは操作筒部３５ｂの軸方向に延びている。操作筒部３５ｂはその内周面に雌ねじ部３７を有している。
【００４７】
操作筒部３５ｂの例えば開放端部は、弁体ヘッド３５が有する係合部３５ｃをなしている。この係合部３５ｃは弁体３１がその軸方向に移動されるに伴い位置決め部２１ａに接離可能である。
【００４８】
端壁部３５ａは複数の通孔３８を有している。これらの通孔３８は弁体軸部３２と操作筒部３５ｂとの間に設けられているとともに、図４に示すように弁体ヘッド３５の周方向に沿って一定間隔で設けられている。このように複数の通孔３８を等配して設けることは、ガス抜き弁４の正面の意匠を良好にできる点で好ましい。
【００４９】
前記構成の弁体３１は、その雌ねじ部３７をパイプ２３の雄ねじ部２４に螺合して取付けられている。この取付けにより、弁体軸部３２が、パイプ２３に挿入されるとともに、このパイプ２３をその軸方向に貫通して配置されている。弁体３１を周方向に回転操作することに伴う雄ねじ部３４と雌ねじ部３７の噛み合いの変化により、弁体３１はその軸方向に移動可能である。
【００５０】
止め部材４１は弁体軸部３２の小径軸部位の先端部に取付けられている。止め部材４１には例えばＥリングやＣリング等の止め輪が用いられている。止め輪は、環状ではなく一部が切り欠きに相当する隙間を有しているので、この隙間を通ってガスの排出が可能である。なお、こうした通気性は止め部材４１において必須ではない。
【００５１】
止め部材４１は、部材装着溝３４に係合して弁体軸部３２に取付けられているため、弁体軸部３２の軸方向に沿って移動できないように固定されている。この止め部材４１は、ストッパ部２６に対して胴部１１ａの内部側、つまり、時計外装組立２の内部側に位置されていて、弁体３１の移動に伴いストッパ部２６に接離可能である。
【００５２】
パッキン４５は合成ゴムやエラストマ等の弾性変形が可能なシール材でリング形に形成されている。このパッキン４５は、パッキン装着溝３３に嵌合して、弁体軸部３２の大径軸部位に取付けられている。パッキン４５の外周部の断面形状例えば半円状であり、この外周部は弁体軸部３２の大径軸部位の周面より突出されている。このパッキン４５は弁体３１の移動に伴い弁座面２５に接離可能である。
【００５３】
腕時計１の通常の状態でガス抜き弁４は図２に示すように閉じた状態にある。
すなわち、弁体ヘッド３５の係合部３５ｃがパイプ取付け孔２１の位置決め部２１ａに接していて、パイプ２３に対する弁体３１の最大ねじ込み深さが規制されている。言い換えれば、雄ねじ部２４と雌ねじ部３７の噛み合い長さが最長となっている。この状態で、弁体ヘッド３５の端壁部３５ａ側部位は、この部位を使用者の指で掴んで弁体３１を回転操作することができるように時計外装組立２の胴部１１ａから外に突出されている。又、弁体３１に取付けられた止め部材４１は、パイプ２３のストッパ部２６から離れている。
【００５４】
更に、同状態で、弁体３１に取付けられたパッキン４５は、弾性変形をした状態、つまり、締代を有した状態でパイプ２３の弁座面２５に密接されている。これとともに、このパッキン４５と、弁座面２５と、この弁座面２５に対向されている弁体軸部３２の大径軸部位の周面と、弁体ヘッド３５との間に、環状空間Ｓが形成されている。そして、この環状空間Ｓに臨んだ端壁部３５ａに設けられている複数の通孔３８は、時計外装組立２の外部側に位置されたパイプ２３の開口２３ａ、つまり、第１実施形態の場合はテーパ状の弁座面２５がなした最大径の開口２３ａに近接して、この開口２３ａに掛かるように位置されている。したがって、環状空間Ｓは各通孔３８を経由して時計外装組立２の外部に連通されている。
【００５５】
飽和潜水において、水中の居住区で使用されるヘリウムガス等のシール材透過性ガスは、カバーガラス１５まわりのシール材、及びガス抜き弁４のパッキン４５を透過するので、時計外装組立２の内部のガス圧が高められる。
【００５６】
この場合、パッキン４５が密接された弁座面２５は、テーパ面からなり、ムーブメント６側ほど次第に縮径されている。そのため、環状空間Ｓのガス圧が高められるに伴い、パッキン４５は弁座面２５がなす径の小径部側に押し込まれるように弾性変形しつつ縮径される。それにより、パッキン４５の内周部が弁体軸部３２に対してより強く密接されるとともに、パッキン４５の外周部が弁座面２５に対してより強く密接される。このように環状空間Ｓのガス圧が高まるほど、ガス抜き弁４でのシール性能を向上できるので、ヘリウムガスがパッキン４５を透過することが緩和されて、時計外装組立２の内圧の高まりを抑制できる。
【００５７】
同様の理由から、潜水中に環状空間Ｓの水圧が高められる場合にも、それに伴い、ガス抜き弁４でのシール性能が向上されるので、ガス抜き弁４を通して時計外装組立２内に海水等の水が浸入することを確実に抑制できる。
【００５８】
又、既述のようにガス抜き弁４が有した弁体３１の弁体ヘッド３５は時計外装組立２の外部に突出されている。そのため、潜水中等において、何らかの物が弁体ヘッド３５に触れて、弁体３１が押される可能性がある。この場合、弁体ヘッド３５の係合部３５ｃが時計外装組立２の位置決め部２１ａに接しているので、弁体３１が押し込まれることはない。これとともに、弁体３１は、連続して回転されない限り、軸方向に移動することがなく、単に、弁体ヘッド３５が短時間押されるだけでは弁体３１の回転が継続されることはない。したがって、弁体ヘッド３５が不用意に押し込まれる力を受けても、ガス抜き弁４が開かれることがなく、時計外装組立２の内部に浸水する恐れがない。
【００５９】
水中の居住区から使用者が浮上した後に、使用者が弁体ヘッド３５を摘んで螺合部が弛む方向に弁体３１を回転操作することにより、時計外装組立２内に侵入した高圧のガスを時計外装組立２外に排出できる。
【００６０】
つまり、前記回転操作により弁体３１が胴部１１ａの外側に突出する方向に移動されて、図３に示すようにパッキン４５が弁座面２５から離れて、ガス抜き弁４が開かれる。この場合、ガス抜き弁４がある程度開かれた状態になると、止め部材４１がパイプ２３のストッパ部２６に接する。それにより、それ以上、弁体３１が弛む方向に回転操作することが妨げられて、パイプ２３の雄ねじ部２４と弁体ヘッド３５の雌ねじ部３７とが螺合した状態が維持される。
【００６１】
以上のようにガス抜き弁４が開かれるに伴い、時計外装組立２の内部のガスが、その圧力によって、パイプ２３内を胴外側に向けて流通し、更に、このパイプ２３の開口２３ａに臨んでいる弁体３１の通孔３８を通って、時計外装組立２の外部に排出される。
【００６２】
以上説明したガス抜きの際、図３に示すようにパイプ２３の雄ねじ部２４と弁体ヘッド３５の雌ねじ部３７とは螺合状態にあり、パイプ２３と弁体ヘッド３５とは連続する遮水壁を形成した状態を維持している。そのため、弁体３１の弁体ヘッド３５まわり、例えばパイプ取付け孔２１の大径孔部に水が溜まっていたとしても、ガス抜きの完了に伴って弁体ヘッド３５まわりの水がガス抜き弁４の内部に浸入することが防止され、それに伴い時計外装組立２の内部に浸水しないようにできる。
【００６３】
潜水中、通孔３８を通って前記環状空間Ｓに浸入した水の多くは、浮上後に通孔３８での空気の置換を伴って通孔３６から排水されるが、一部は環状空間Ｓに溜まっていることがある。ところで、既述のように通孔３８はパイプ２３のガス流出側の開口２３ａに連続するような位置関係になっている。そのため、既述のようにガス抜き弁４が開かれることに伴い排出されるガスの勢いにより、ガス抜き弁４内の残水を、容易かつ確実に通孔３８に通して外部に排出することができる。
【００６４】
そのため、ガス抜き直後において、前記残水を原因として時計外装組立２の内部に浸水しないようにできる。なお、パイプ２３の弁座面２５を、四弗化エチレン樹脂等の撥水性を有する撥水層でコーテングすることは、以上の残水の排出性能をより高めることができる点で好ましい。
【００６５】
しかも、ストッパ部２６はガス抜き弁４内の残水に対する堤防となるので、このストッパ部でガス抜き直後に前記残水が時計外装組立２の内部に入り込むこと抑制できる。したがって、この点でも時計外装組立２内への浸水をより確実に抑制できる。
【００６６】
ガス抜き後に通常の状態に戻すには、弁体３１をねじ込む方向に回転操作すればよい。それにより、パッキン４５が弁座面２５に密接されて、ガス抜き弁４が閉じられる。又、既述のようにガス抜き時に弁体３１が、そのねじ込みが弛む方向に回転操作されるに伴い、パッキン４５が弁座面２５から離れてガス抜き弁４が開かれる。このように前記構成のガス抜き弁４は、弁体３１をねじ込み操作することで、ガス抜き弁４を閉じることができるとともに、弁体３１のねじ込みを弛めることで、ガス抜き弁４が開かれてガス抜きができるので、操作上違和感がなく、操作上好ましい。
【００６７】
又、既述の手順でガス抜き弁４が閉じられる場合、パッキン４５が弁座面２５に接触し、更に気水密に必要な程度に密接された直後に、弁体ヘッド３５の係合部３５ｃが、パイプ取付け孔２１の位置決め部２１ａに接するので、この係合により弁体３１をねじ込み操作が妨げられる。そのため、図２に示すように弁体３１が最大にねじ込まれた位置に弁体３１が停止されて、この弁体３１の適正なねじ込み終了を使用者に知覚させることができる。これとともに、パッキン４５の更なる弾性変形を伴って、このパッキン４５がテーパ面からなる弁座面２５の小径端部を通過して弁座面２５から外れることが防止されるので、パッキン４５を適正なシール位置に保持することができる。
【００６８】
更に、前記構成のガス抜き弁４は、既述のようにパイプ２３の雄ねじ部２４と弁体３１の雌ねじ部３７を螺合させて、パッキン４５が弁座面２５に密接された状態を保持するので、この保持のために、飽和潜水の指定圧力に相当するばね力（付勢力）のコイルばねを要することがなく、部品点数が削減されて構成が簡単である。そのため、組立ての手間も軽減されて、コストを低減できる。これとともに、雄ねじ部２４と雌ねじ部３７の螺合部にばね圧が作用しないので、螺合部での摩耗が抑制され、ガス抜き弁４の耐久性を向上できる。
【００６９】
しかも、ガス抜き弁４が閉じた状態では、パッキン４５と弁座面２５とがなすシール部で、弁体３１が支えられるだけではなく、この支持部よりも大径な螺合部で弁体３１が支持されているので、弁体３１を安定した状態に支持できる。同様に、ガス抜き弁４が閉じた状態では、シール部がないにも拘らず、螺合部で弁体３１が支持されているので、弁体３１をがたつくことなく支持できる。
【００７０】
本発明の第２実施形態を図５及び図６を参照して説明する。第２実施形態は、以下説明する事項以外は第１実施形態と同じである。そのため、第１実施形態と同じ構成については、第１実施形態と同じ符号を付して、その説明を省略する。
【００７１】
第２実施形態で、弁座面２５とパッキン４５の位置関係は、第１実施形態とは逆に構成されている。
【００７２】
即ち、弁座面２５は、弁体軸部３２の大径軸部位と小径軸部位とにわたってこれらの間に設けられたテーパ面で形成されている。この弁座面２５がなす弁体軸部３２の径は、時計外装組立２内のムーブメント６側程、言い換えれば、前記大径軸部位から小径軸部側ほど径が小さい。
【００７３】
又、パイプ２３は、そのストッパ部２６を除いた部位の内径が同じであり、この部位の長手方向中間部にパッキン装着溝３３が形成されている。このパッキン装着溝３３にパッキン４５が取付けられている。パッキン４５の内周部は前記部位の内周面から突出されていて、この内周部に弁体３１の軸方向移動に伴いテーパ面からなる弁座面２５が接離されるようになっている。
【００７４】
第２実施形態の腕時計１の通常状態で、そのガス抜き弁４の弁体３１は最大にねじ込まれた状態にある。そのため、図５に示すようにテーパ面がなす弁座面２５がパッキン４５に密接されて、ガス抜き弁４は閉じていて防水をする状態にある。又、図５の状態から弁体３１のねじ込みが弛められて、弁体３１が時計外装組立２の胴部１１ａからより突出された状態は図６に示されている。この状態では、弁体軸部３２の弁座面２５がパイプ２３に装着されたパッキン４５から離れていて、ガス抜き弁４が開かれている。そのため、飽和潜水により時計外装組立２内に侵入したヘリウムガスが、その圧力によってガス抜き弁４を通って時計外装組立２の外部に排出される。
【００７５】
以上説明した事項以外は第１実施形態と同じである。そのため、この第２実施形態によれば、第１実施形態で既に説明した理由により、ガス抜き弁４の構成が簡単で、かつ、ガス抜き弁４が誤って開かれ難いとともに、ガス抜き操作の完了に伴って時計外装組立２内に浸水し難い腕時計１を提供できる。
【符号の説明】
【００７６】
１…腕時計(携帯時計)
２…時計外装組立
４…ガス抜き弁
２１ａ…位置決め部
２３…パイプ
２３ａ…パイプの開口
２４…雄ねじ部
２５…弁座面
２６…ストッパ部
３１…弁体
３２…弁体軸部
３５…弁体ヘッド
３５ｃ…係合部
３７…雌ねじ部
３８…通孔
４１…止め部材
４５…パッキン
Ｓ…環状空間
【図１】
2011203211.tif 000003
【図２】
2011203211.tif 000004
【図３】
2011203211.tif 000005
【図４】
2011203211.tif 000006
【図５】
2011203211.tif 000007
【図６】
2011203211.tif 000008